(57)【要約】【課題】製氷工程と除氷工程を１サイクルとする製氷運転を行うバッチ式製氷機の製氷運転において、製氷部で氷結される氷に対する二重製氷の発生を防止して、二重製氷による異常な氷結部位に起因する製氷機の損傷の発生を確実に防止し、かつ、製氷運転を次の１サイクル製氷運転の製氷工程へ迅速に移行することができるようにする。【解決手段】本発明では、製氷面１２の残存氷の存在を、第１，第２の製氷工程に要する所要時間の異常、および／または、第１，第２の除氷工程に要する所要時間の異常によって判定し、所要時間に異常が発生した場合には、製氷運転を、残存氷を完全に除去するスイープ工程に移行させる。【選択図】    図１
2005221099.tif 000002
【特許請求の範囲】
【請求項１】
製氷面に供給された製氷用水を同製氷面上で氷結させる製氷部と、前記製氷面上で氷結して生成した氷を同製氷面上から離脱して除去する除氷手段を備え、製氷用水を前記製氷面上で氷結させる製氷工程と前記製氷面上の氷を離脱して除去する除氷工程とを１サイクルとして１サイクルの製氷運転を繰返し行う製氷機であり、当該製氷機は、前記製氷運転を制御する制御装置を備え、同制御装置は、１サイクル製氷運転での製氷工程である第１の製氷工程および次の１サイクル製氷運転での製氷工程である第２の製氷工程に要した所要時間を計測し記憶する計測機能、前記第１の製氷工程および前記第２の製氷工程に要した所要時間を比較する比較機能、前記第２の製氷工程に要した所要時間が前記第１の製氷工程に要した所要時間より所定時間以上短い場合には前記製氷面上の残存氷を除去するためのスイープ工程に移行させる駆動機能を備えていることを特徴とする製氷機。
【請求項２】
製氷面に供給された製氷用水を同製氷面上で氷結させる製氷部と、前記製氷面上で氷結して生成した氷を同製氷面上から離脱して除去する除氷手段を備え、製氷用水を前記製氷面上で氷結させる製氷工程と前記製氷面上の氷を離脱して除去する除氷工程とを１サイクルとして１サイクルの製氷運転を繰返し行う製氷機であり、当該製氷機は前記製氷運転を制御する制御装置を備え、同制御装置は、１サイクル製氷運転での除氷工程である第１の除氷工程および次の１サイクル製氷運転での除氷工程である第２の除氷工程に要した所要時間を計測し記憶する計測機能、前記第１の除氷工程および前記第２の除氷工程に要した所要時間を比較する比較機能、前記第２の除氷工程に要した所要時間が前記第１の除氷工程に要した所要時間より所定時間以上長い場合には前記製氷面上の残存氷を除去するためのスイープ工程に移行させる駆動機能を備えていることを特徴とする製氷機。
【請求項３】
製氷面に供給された製氷用水を同製氷面上で氷結させる製氷部と、前記製氷面上で氷結して生成した氷を同製氷面上から離脱して除去する除氷手段を備え、製氷用水を前記製氷面上で氷結させる製氷工程と前記製氷面上の氷を離脱して除去する除氷工程とを１サイクルとして１サイクルの製氷運転を繰返し行う製氷機であり、当該製氷機は、前記製氷運転を制御する制御装置を備え、同制御装置は、１サイクル製氷運転での製氷工程である第１の製氷工程および次の１サイクル製氷運転での製氷工程である第２の製氷工程に要した所要時間を計測し記憶する第１の計測機能、１サイクル製氷運転での除氷工程である第１の除氷工程および次の１サイクル製氷運転での除氷工程である第２の除氷工程に要した所要時間を計測し記憶する第２の計測機能、前記第１の製氷工程および前記第２の製氷工程に要した所要時間を比較する第１の比較機能、前記第１の除氷工程および前記第２の除氷工程に要した所要時間を比較する第２の比較機能、前記第２の製氷工程に要した所要時間が前記第１の製氷工程に要した所要時間より所定時間以上短い場合、または、前記第２の除氷工程に要した所要時間が前記第１の除氷工程に要した所要時間より所定時間以上長い場合には前記製氷面上の残存氷を除去するためのスイープ工程に移行させる駆動機能を備えていることを特徴とする製氷機。
【請求項４】
製氷面に供給された製氷用水を同製氷面上で氷結させる製氷部と、前記製氷面上で氷結されて生成した氷を同製氷面上から離脱して除去する除氷手段を備える製氷機の製氷運転方法であり、当該製氷運転方法は、製氷用水を前記製氷面上で氷結させる製氷工程と前記製氷面上の氷を離脱して除去する除氷工程とを１サイクルとして１サイクルの製氷運転を繰返し行うものであり、１サイクルの製氷運転での製氷工程である第１の製氷工程に要した所要時間より次の１サイクルの製氷運転での製氷工程である第２の製氷工程に要した所要時間が所定時間以上短い場合には、次の１サイクルの製氷運転での除氷工程である第２の除氷工程の終了後に前記製氷面上の残存氷を完全に除去するスィープ工程に移行させ、または、前記第２の除氷工程に要した所要時間が前記第１の除氷工程に要した所要時間より所定時間以上長い場合には、前記第２の除氷工程の終了後に前記スィープ工程に移行させることを特徴とする製氷運転方法。
【発明の詳細な説明】
【技術分野】
【０００１】
本発明は、製氷工程および除氷工程を１サイクルとして１サイクルの製氷運転を繰返し行う形式の製氷機、および、同形式の製氷機の製氷運転方法に関する。
【背景技術】
【０００２】
製氷機に一形式として、製氷面に供給された製氷用水を同製氷面上で氷結させる製氷部と、前記製氷面上で氷結して生成した氷を同製氷面上から離脱して除去する除氷手段を備える形式の製氷機がある。当該製氷機は、製氷工程および除氷工程を１サイクルとする製氷運転を行うバッチ式の製氷機があって、１サイクルの製氷運転を繰返し行う製氷運転方法が採られる。
【０００３】
当該バッチ式の製氷機の代表的な一例としては、起立状態で互いに並列する複数の製氷板からなる製氷部を備え、製氷工程では、各製氷板の製氷面上に散水された製氷用水を製氷面上で氷結させ、これに続く除氷工程では、製氷部にホットガス（加温媒体）等の除氷手段を付与して製氷面上の氷を分離して除去するものがある（特許文献１を参照）。また、当該形式の製氷機の代表的な他の一例としては、下方に開口する複数の製氷室を有する製氷用部材とこれを下方から開閉可能に閉鎖する皿状の開閉用部材とを有する製氷部を備え、製氷工程では、各製氷用部材の各製氷室内に散水される製氷用水を製氷室内で氷結させ、これに続く除氷工程では、製氷部にホットガス（加温媒体）等の除氷手段を付与して、各製氷室内の氷を分離して除去するものがある（特許文献２を参照）。
【０００４】
ところで、当該バッチ式の製氷機の製氷運転では、上記したように、１サイクル製氷運転が終了した後に次の１サイクル製氷運転を継続して行う製氷運転方式が採られてることから、次の１サイクル製氷運転を円滑に行うには、次の１サイクル製氷運転の開始時には、前の１サイクル製氷運転で製氷部の製氷面に生成された氷が製氷面上に残存していないことが重要である。
【０００５】
前の１サイクル製氷運転で生成された氷が製氷部の製氷面に残存していると、次の１サイクル製氷運転の製氷工程においては、製氷面上の氷残存部位では残存氷に上にさらに氷が生成されて当該部位が異常な氷結部位となり、このような異常な氷結が繰り返されると、当該氷結部位が異常に大きくなって製氷機を損傷させる原因となる。
【０００６】
製氷部の製氷面の残存氷に上にさらに氷が生成されて当該部位が異常な氷結部位となることを二重製氷と簡略するが、従来の当該バッチ式製氷機の製氷運転では、当該二重製氷に起因する製氷機の損傷の発生を防止するためには、１サイクル製氷運転での除氷工程に要する最長の時間を予め設定しておいて、除氷工程が最長の時間を越えた場合には、当該製氷機の製氷部に異常が発生したものとして、手動で、製氷運転を一旦停止（異常停止）して、製氷部の製氷面上に残存している氷を完全に除去する方式を採っている。当該製氷機の製氷運転の再開は、製氷面における残存氷が完全に除去されたことを確認した後に手動で行っている。
【０００７】
このような製氷運転方式を採る場合には、製氷運転を異常停止した時点での、製氷部における異常氷結部位が如何なる氷結状態にあるかは確認されてはおらず、最悪の場合には、当該製氷機に損傷が発生し得る状態にあるおそれがある。また、このような製氷運転方式では、当該製氷機の製氷運転に精通した作業者（サービスマン）が当該製氷機の設置場所に赴いて、当該製氷機の製氷運転を手動で停止し、製氷部の製氷面上の残存氷を除去し、これを確認した後、手動操作で製氷運転を再開することになり、当該製氷機の製氷運転の再開に長時間を要することになる。
【０００８】
なお、製氷部にて生成した氷の異常状態に起因する製氷運転における異常状態の発生に対処する手段については、上記した特許文献２に提案されている製氷機で採用されてはいる。
【０００９】
当該製氷機においては、製氷工程では、複数の製氷室を有する製氷用部材を皿状の開閉用部材によって下から閉鎖した状態で氷を生成し、除氷工程では、開閉用部材を下方へ回動して製氷用部材の各製氷室を開放して各製氷室にて生成されている氷を開閉用部材上に落下させ、開閉用部材上を滑走させて除去させる手段を採っている。このため、除氷工程の終了時には、製氷室から脱落した氷が製氷用部材と開閉用部材との間に挟持され、次の製氷運転の製氷工程に移行する際に開閉用部材の上方への回動が妨げられて、製氷用部材の各製氷室を閉鎖することができないとう異常状態が発生することがある。
【００１０】
当該製氷機においては、このような固有の問題に対処すべく、除氷工程の終了後、次の１サイクル製氷運転の製氷工程へ移行する際、開閉用部材の閉鎖復帰が所定の時間経過しても完了されない場合には、この時点で、製氷機に異常状態が発生したものと判定して、製氷工程への移行を一旦停止する手段を採っている。しかしながら、当該異常状態に対処する手段では、ベンチ式製氷機における二重製氷に起因する問題には対応することはできない。
【特許文献１】特開２００３−３２９３４１号公報
【特許文献２】特開２００２−９８４５３号公報
【発明の開示】
【発明が解決しようとする課題】
【００１１】
本発明の目的は、当該バッチ式製氷機の製氷運転での二重製氷に起因する製氷機の損傷の発生を確実に防止することにあり、かつ、二重製氷で発生した異常な氷結部位を迅速に解消するとともに、製氷運転を、次の１サイクル製氷運転の製氷工程へ迅速に移行することができるようにすることにある。
【課題を解決するための手段】
【００１２】
本発明は、製氷機および製氷機の製氷運転方法に関する。本発明が適用対象とする製氷機は、製氷面に供給された製氷用水を同製氷面上で氷結させる製氷部と、前記製氷面上で氷結して生成した氷を同製氷面上から離脱して除去する除氷手段を備え、製氷用水を前記製氷面上で氷結させる製氷工程と前記製氷面上の氷を離脱して除去する除氷工程とを１サイクルとして１サイクルの製氷運転を繰返し行う製氷機である。
【００１３】
しかして、本発明に係る製氷機は、前記製氷運転を制御する制御装置を備えるもので、当該制御装置の第１は、１サイクル製氷運転での製氷工程である第１の製氷工程および次の１サイクル製氷運転での製氷工程である第２の製氷工程に要した所要時間を計測し記憶する計測機能、前記第１の製氷工程および前記第２の製氷工程に要した所要時間を比較する比較機能、前記第２の製氷工程に要した所要時間が前記第１の製氷工程に要した所要時間より所定時間以上短い場合には前記製氷面上の残存氷を除去するためのスイープ工程に移行させる駆動機能を備えていることを特徴とするものである。
【００１４】
また、当該制御装置の第２は、１サイクル製氷運転での除氷工程である第１の除氷工程および次の１サイクル製氷運転での除氷工程である第２の除氷工程に要した所要時間を計測し記憶する計測機能、前記第１の除氷工程および前記第２の除氷工程に要した所要時間を比較する比較機能、前記第２の除氷工程に要した所要時間が前記第１の除氷工程に要した所要時間より所定時間以上長い場合には前記製氷面上の残存氷を除去するためのスイープ工程に移行させる駆動機能を備えていることを特徴とするものである。
【００１５】
また、当該制御装置の第２は、１サイクル製氷運転での製氷工程である第１の製氷工程および次の１サイクル製氷運転での製氷工程である第２の製氷工程に要した所要時間を計測し記憶する第１の計測機能、１サイクル製氷運転での除氷工程である第１の除氷工程および次の１サイクル製氷運転での除氷工程である第２の除氷工程に要した所要時間を計測し記憶する第２の計測機能、前記第１の製氷工程および前記第２の製氷工程に要した所要時間を比較する第１の比較機能、前記第１の除氷工程および前記第２の除氷工程に要した所要時間を比較する第２の比較機能、前記第２の製氷工程に要した所要時間が前記第１の製氷工程に要した所要時間より所定時間以上短い場合、または、前記第２の除氷工程に要した所要時間が前記第１の除氷工程に要した所要時間より所定時間以上長い場合には前記製氷面上の残存氷を除去するためのスイープ工程に移行させる駆動機能を備えていることを特徴とするものである。
【００１６】
本発明に係る本発明に係る製氷機を製氷運転する方法であり、当該製氷運転方法は、製氷用水を前記製氷面上で氷結させる製氷工程と前記製氷面上の氷を離脱して除去する除氷工程とを１サイクルとして１サイクルの製氷運転を繰返し行うもので、１サイクルの製氷運転での製氷工程である第１の製氷工程に要した所要時間より次の１サイクルの製氷運転での製氷工程である第２の製氷工程に要した所要時間が所定時間以上短い場合には、次の１サイクルの製氷運転での除氷工程である第２の除氷工程の終了後に前記製氷面上の残存氷を完全に除去するスィープ工程に移行させ、または、前記第２の除氷工程に要した所要時間が前記第１の除氷工程に要した所要時間より所定時間以上長い場合には、前記第２の除氷工程の終了後に前記スィープ工程に移行させることを特徴とするものである。
【発明の効果】
【００１７】
本発明に係る製氷機、および、本発明に係る製氷運転方法よれば、製氷部の製氷面に残存する氷（残存氷）を速やかに検知して、製氷面上での異常氷結部位に起因する製氷機での損傷の発生以前の段階でスイープ工程に移行させて、製氷部における氷結残存部位を速やかに除去して二重製氷の発生を確実に防止することができ、かつ、当該製氷機の製氷運転を、次の１サイクル製氷運転の製氷工程へ速やかに移行させることができる。
【００１８】
当該製氷機の製氷運転では、製氷部の製氷面上に氷が残存した場合には、残存氷を完全に除去するスイープ工程に自動的に移行させ、かつ、スイープ工程の終了後には、次の１サイクル製氷運転の製氷工程へ自動的に移行させることができる。このため、当該製氷機の製氷運転においては、製氷運転に精通した作業者（サービスマン）による作業はほとんど必要なく、作業者（サービスマン）は当該製氷機の運転状況を監視し、かつ、次の１サイクルの製氷運転の製氷工程への移行を確認すればよい。また、当該製氷運転では、次の１サイクルの製氷運転を、従来より短い時間で再開することができる。
【００１９】
当該製氷機の製氷運転においては、仮に、製氷部の製氷面上での残存氷の存在を誤検知してスイープ工程に移行したとしても、このような状態でのスイープ工程に要する時間はほとんど不要であって短時間で終了し、製氷運転を、次の１サイクルの製氷運転の製氷工程へ速やかに自動復帰させることができるという利点がある。
【００２０】
当該製氷機の製氷運転においては、スイープ工程での製氷面上の残存氷を除去する除去手段として、製氷部の製氷面上に除氷用水を散水する手段を採れば、除去用水として、貯留タンクに収容されている製氷用水をそのまま採用することができる。このため、スイープ工程での残存氷の除去手段として、特別の残存氷用除去手段に準備する必要がない。また、除氷用水としての製氷用水の使用では、製氷用水を貯留タンクを経由する循環使用することから、スイープ工程の終了後に製氷工程へ速やかに移行させても、当該製氷工程において、製氷用水が絶対的に不足するようなことは生じ得ない。
【発明を実施するための最良の形態】
【００２１】
本発明は、製氷機および製氷機の製氷運転方法に関する。図１および図２には、本発明に係る製氷機の一実施形態を示している。当該実施形態に係る製氷機は、製氷部１０、冷凍機構部２０、および制御装置３０を備えている。製氷部１０は、起立状に並列配置されている複数の製氷板１０ａと、各製氷板１０ａの上方にて隣合う製氷板１０ａ間に配設されている複数の散水手段１０ｂを備えている。
【００２２】
製氷部１０を構成する各製氷板１０ａは冷媒管路を内蔵する公知のもので、製氷板１０ａの内部を蛇行状に配置されている冷媒管路の上流側端部１１ａおよび下流側端部１１ｂは、冷凍機構部２０を構成する冷凍回路２０ａの下流側端部および上流側端部にそれぞれ接続されている。かかる構成の製氷部１０においては、各製氷板１０ａの外側面が製氷面１２に形成されている。
【００２３】
製氷部１０を構成する各散水手段１０ｂは、図３に示すように、パイプ本体１３と連結管部１４を連結手段１５を介して連結してなるもので、パイプ本体１３には、長方形状で大口径の第１散水パイプ１３ａと、方形状で小口径の第２散水パイプ１３ｂとが一体に形成されている。連結管部１４は、パイプ本体１３の各散水パイプ１３ａ，１３ｂに対向して連通するパイプ部１４ａ，１４ｂを備えており、パイプ本体１３の一端に連結手段１５を介して取外し可能に連結されている。散水手段１０ｂは、連結管部１４のパイプ部１４ａ，１４ｂを、各連結ホース１６ａ，１７ａを介して給水ヘッド１６ｂ，１７ｂに連結されている。給水ヘッド１６ｂは、製氷用水を供給する給水管路１６ｃに接続され、かつ、給水ヘッド１７ｂは、除氷用水を供給する給水管路１７ｃに接続されている。各給水管路１６ｃ，１７ｃは、製氷用水を収容する貯留タンク１８に接続されている。
【００２４】
かかる連結状態を採っている各散水手段１０ｂにおいては、パイプ本体１３に形成されている第１散水パイプ１３ａは、給水管路１６ｃに連通している。これにより、第１散水パイプ１３ａには、給水管路１６ｃに介装されている給水ポンプ１６ｄの駆動によって、貯留タンク１８に収容されている製氷用水が供給される。第１散水パイプ１３ａは、供給された製氷用水を、各製氷板１０ａの各製氷面１２に散水すべく機能する。
【００２５】
また、パイプ本体１３に形成されている第２散水パイプ１３ｂは、給水管路１７ｃに連通している。これにより、第２散水パイプ１３ｂには、給水管路１７ｃに介装されている給水ポンプ１７ｄの駆動によって、貯留タンク１８に収容されている製氷用水が供給される。第２散水パイプ１３ｂは、供給された製氷用水を残存氷を除去する除氷用水として、各製氷板１０ａの各製氷面１２に散水すべく機能する。
【００２６】
冷凍機構部２０は、圧縮機２１、凝縮器２２、レシーバタンク２３、ドライヤ２４、膨張弁２５を備え、これらを配管で直列的に連結して冷凍回路２０ａを構成している。冷凍回路２０ａを構成する主冷媒管路２６は、製氷部２０を構成する各製氷板１０ａに対応する本数の分岐管路２６ａ，２６ｂを備え、各分岐管路２６ａは製氷板１０ａが有する冷媒管路の上流側管路１１ａに接続され、かつ、各分岐管路２６ｂは製氷板１０ａが有する冷媒管路の下流側管路１１ｂに接続されている。
【００２７】
かかる構成の製氷機では、製氷工程および除氷工程を１サイクルとして、この１サイクル製氷運転を繰返し行われるもので、当該製氷運転は制御装置３０によって制御される。当該製氷機の製氷運転における製氷工程では、冷凍回路２０ａを通して各製氷板１０ａが内蔵する冷媒管路に冷媒が循環供給されて、各製氷板１０ａの製氷面１２が冷却される。一方、散水手段１０ｂを構成する各第１散水パイプ１３ａには、給水ポンプ１６ｄの駆動により、貯留タンク１８に収容されている製氷用水が給水管路１６ｃを通って継続して供給される。各第１散水パイプ１３ａは、供給された製氷用水を各製氷板１０ａの製氷面１２上に順次散水する。製氷板１０ａの製氷面１２上に散水された製氷用水は、冷媒管路を流通する冷媒の冷却作用によって製氷面１２上で順次氷結し、製氷工程の終了時点では所定厚みの板状氷となる。
【００２８】
製氷工程の終了時点は、貯留タンク１７に収容されている製氷用水の貯留量の減量（製氷用水の使用量に該当する）を検知することにより行う。貯留タンク１７には水量センサ３１が配設されていて、貯留タンク１８に収容されている製氷用水の減量が所定量に達した場合に、水量センサ３１はこれを検知して、製氷工程の終了信号として制御装置３０に出力する。製氷工程の終了後には、製氷運転は、除氷工程に速やかに移行する。
【００２９】
当該製氷運転における除氷工程では、各製氷板１０ａが内蔵する冷媒管路に冷凍回路２０ａを通してホットガスが循環供給される。循環供給されたホットガスは、各製氷板１０ａの製氷面１２を加温して製氷面１２上に生成されている板状氷の氷結界面を融解する。これにより、製氷面１２上の板状氷は製氷面１２から離脱して落下する。落下した板状氷は、クラッシャーにて粉砕され、粉砕氷として貯氷室に搬送される。除氷工程の終了時点は、製氷面１２の温度上昇を検知することにより行う。製氷板１０ａには温度センサ３２が配設されていて、製氷板１０ａが加温されて所定温度に達した場合に、温度センサ３２はこれを検知して、除氷工程の終了信号として制御装置３０に出力する。除氷工程終了後には、製氷運転は、次の１サイクル製氷運転の製氷工程に速やかに移行する。
【００３０】
なお、図１にて符号１８ａにて示す管路は、製氷工程において散水されて非氷結状態にある製氷用水を貯留タンク１８内に還流させる機能と、除氷工程において散水されて除氷用水を貯留タンク１８内に還流させる機能の両機能を有する還流管路１８ａである。還流管路１８ａには、還流する除氷用水の水温を検知するための水温センサ３３が介装されている。
【００３１】
ところで、当該製氷機での製氷運転では、除氷工程の終了時点においては、全ての製氷面１２上に生成されている全ての氷が、その一部をも残さず除去されていることが必要である。製氷面１２上に板状氷の一部でも残存している場合には、次回の１サイクル製氷運転の製氷工程で二重製氷の現象が発生し、二重製氷の現象が繰り返し発生すると、当該部位が異常な氷結部位となる。異常な氷結部位の発生は、製氷機を損傷させる原因となる。このため、当該製氷機においては、異常な氷結部位の発生を防止すべく、製氷面１２に残存する氷を検知して残存氷を完全に除去するスイープ工程を設けている。また、制御装置３０には、製氷運転の途中の必要時点においてスイープ工程に移行するための運転制御する機能を持たせている。
【００３２】
制御装置３０は、マイクロコンピュータを主体として構成しているもので、本発明における制御装置の第３の制御装置に該当する。当該制御装置３０は、１サイクル製氷運転における製氷工程（第１の製氷工程）および次の１サイクル製氷運転における製氷工程（第２の製氷工程）に要した所要時間を計測し記憶する第１の計測記憶機能、１サイクル製氷運転における除氷工程（第１の除氷工程）および次の１サイクル製氷運転における除氷工程（第２の除氷工程）に要した所要時間を計測し記憶する第２の計測記憶機能、前記両製氷工程のに要した所要時間を比較する第１の比較機能、前記両除氷工程に要した所要時間を比較する第２の比較機能、第２の製氷工程に要した所要時間が第１の製氷工程に要した所要時間より所定時間以上短い場合、または、第２の除氷工程に要した所要時間が第１の除氷工程に要した所要時間より所定時間以上長い場合には前記製氷面上の残存氷を除去するためのスイープ工程に移行させる駆動機能を備えている。
【００３３】
制御装置３０は、当該製氷機における製氷運転の制御プログラムを、図６に示すフローチャートに基づいて実行する。当該製氷機の製氷運転は、始動スイッチの投入により開始される。制御装置３０は、ステップ１０１にて１サイクル製氷運転の製氷工程（第１の製氷工程）を実行し、水量センサ３１からの検知信号に基づいて、第１の製氷工程の実行を終了して、プログラムをステップ１０２に進めて、１サイクル製氷運転の除氷工程（第１の除氷工程）を実行する。制御装置３０は、第１の製氷工程の実行では、同製氷工程に要する所要時間を計測して計測時間（ＦＴ1）を記憶し、また、第１の除氷工程の実行では、同除氷工程に要する所要時間を計測して計測時間（ＨＴ1）記憶する。
【００３４】
制御装置３０は、製氷面温度センサ３２からの検知信号に基づいて、第１の除氷工程の実行を終了して、プログラムをステップ１０３に進めて、次の１サイクル製氷運転の製氷工程（第２の製氷工程）を実行し、水量センサ３１からの検知信号に基づいて、第２の製氷工程の実行を終了して、プログラムをステップ１０４に進める。制御装置３０は、第２の製氷工程の実行では、同製氷工程に要する所要時間を計測して計測時間（ＦＴ2）を記憶する。
【００３５】
制御装置３０は、ステップ１０４では、第２の製氷工程に要した時間ＦＴ2と第１の製氷工程に要した時間ＦＴ1を比較する。制御装置３０は、ステップ１０４にて、第２の製氷工程に要した時間ＦＴ2が第１の製氷工程に要した時間ＦＴ1より所定時間以上短い場合には、いずれかの製氷面１２上に残存氷が存在しているものと判定して、プログラムをステップ１０５に進めて、第２の除行工程に移行させる。制御装置３０は、第２の除氷工程を終了した時点で、プログラムをステップ１０８に進めて、製氷運転をスイープ工程に移行させる。
【００３６】
スイープ工程では、給水ポンプ１７ｄの駆動により、貯留タンク１８に収容されている製氷用水が除氷用水として、給水管路１７ｃを通して各第２散水パイプ１３ｂに継続して供給される。各第２散水パイプ１３ｂは、供給された除氷用水を各製氷板１０ａの製氷面１２上に散水して、製氷面１２上の残存氷を融解する。製氷面１２上に散水された除氷用水は、融解した残存氷とともに還流管路１８ａを通って貯留タンク１８内に還流する。還流管路１８ａ内を流動する除氷用水の水温は、水温センサ３３にて検知される。
【００３７】
還流管路１８ａ内を流動する除氷用水の水温が貯留タンク１８に収容されている製氷用水と同温度になった場合には、水温センサ３３がこれを検知して、検知信号を制御装置３０に出力する。制御装置３０は、水温センサからの検知信号に基づいてスイープ工程を終了し、プログラムをステップ１０３に進めて、次の１サイクル製氷運転における製氷工程の実行を開始する。
【００３８】
制御装置３０は、ステップ１０４にて、第２の製氷工程に要した時間ＦＴ2が第１の製氷工程に要した時間ＦＴ1より所定時間以上短くはない場合には、製氷面１２上には残存氷が存在していないものと判定して、プログラムをステップ１０６に進めて、第２の除行工程に移行させる。制御装置３０は、第２の除氷工程の実行では、同除氷工程に要する時間を計測して計測時間（ＨＴ2）を記憶し、除氷工程を終了した時点で、プログラムをステップ１０７に進める。
【００３９】
制御装置３０は、ステップ１０７では、第２の除氷工程に要した時間ＨＴ2と第１の除氷工程に要した時間ＨＴ1を比較する。制御装置３０は、ステップ１０７にて、第２の製氷工程に要した時間ＨＴ2が第１の製氷工程に要した時間ＨＴ1より所定時間以上長い場合には、残存氷が存在しているものと判定して、プログラムをステップ１０８に進めて、製氷運転をスイープ工程に移行させる。制御装置３０は、貯留タンク１８に設置した水温センサ３３からの検知信号に基づいてスイープ工程を終了し、プログラムをステップ１０３に進めて、次の１サイクル製氷運転における製氷工程の実行を開始する。
【００４０】
また、制御装置３０は、ステップ１０７にて、第２の製氷工程に要した時間ＨＴ2が第１の製氷工程に要した時間ＨＴ1より所定時間以上長くはない場合には、残存氷は存在していないものと判定して、プログラムをステップ１０３に進めて、次の１サイクル製氷運転における製氷工程の実行を開始する。
【００４１】
このように、当該製氷機の製氷運転では、各製氷板１０ａの製氷面１２上に残存氷が存在している場合にはこれを検知して、残存氷を速やかに除去することにより、各製氷板１０ａの製氷面１２での二重製氷の発生を防止するものであり、かつ、製氷面１２上の残存氷を除去した後には、製氷運転を次の１サイクル製氷運転の製氷工程へ速やかに移行させるものである。
【００４２】
このため、当該製氷機の製氷運転によれば、二重製氷の発生に起因する製氷機の損傷の発生を確実に防止することができるとともに、当該防止手段では、製氷運転に精通した作業者（サービスマン）による作業は不要である。作業者（サービスマン）は、当該製氷機の運転状況を監視し、かつ、製氷運転の製氷工程への移行を確認すればよい。また、当該製氷運転では、次の１サイクル製氷運転を、従来より短時間で再開することができるという大きな利点がある。
【００４３】
当該製氷機の製氷運転においては、仮に、各製氷板１０ａの製氷面１２の残存しない場合に、残存氷があるものと誤検知してスイープ工程に移行したとしても、この場合はスイープ工程に要する時間が極めて短時間に済み、その後、速やかには次工程へ自動復帰させることができるという利点がある。また、当該製氷機の製氷運転においては、スイープ工程で使用する除氷用水として、貯留タンク１８に収容している製氷用水を使用している。このため、除氷用水として特別に準備する必要がない。除氷用水としての製氷用水を使用する場合には、製氷用水を循環して使用する方式を採ることができることから、スイープ工程の終了後に次の製氷工程へ速やかに移行させても、当該製氷工程において、製氷用水が絶対的に不足するようなことはない。
【００４４】
当該製氷機においては、散水手段１０ｂとして、第１散水パイプ１３ａおよび第２散水パイプ１３ｂを一体に形成されているパイプ本体１３と、パイプ本体１３を各供給ヘッド１５ｂ，１６ｂに連結する連結管部１４とを、連結手段１５介して互いに連結して構成されている特殊構造の散水手段１０ｂを採用している。当該散水手段１０ｂは、製氷部１０ａの配設部位に対する取付け、取外を容易に行えるように構成されていて、散水手段１０ｂを製氷部１０ａから取外して、各散水手段１０ｂを容易に洗浄できるように配慮しているものである。
【００４５】
当該散水手段１０ｂは、図３および図４に示すように、パイプ本体１３と連結管部１４に分割されていて、パイプ本体１３と連結管部１４は、連結手段１５を介して互いに取外し可能に連結されている。パイプ本体１３には、第１散水パイプ１３ａと第２散水パイプ，１３ｂとが一体的に形成されていて、その各側壁部１３ｃにおける上流側の部位には、係合凸部１３ｄが形成されている。一方、連結管部１４は、Ｌ字状に屈折する２本のパイプ部１４ａ，１４ｂを一体に有するもので、各パイプ部１４ａ，１４ｂは連結管部１４をパイプ本体１３に連結した状態では、各散水パイプ１３ａ，１３ｂに対向して互いに連通する。連結管部１４におけるパイプ本体１３の上流側端部に対向する側の対向部位には、連結手段１５が一体的に設けられている。
【００４６】
連結手段１５は、連結管部１４の下流側端部に一体的に形成されている基板部１５ａと、基板部１５ａの左右の側縁から前方へ所定長さ延びる一対の腕部１５ｂにて構成されている。基板部１５ａは、パイプ本体１３の各散水パイプ１３ａ，１３ｂと、連結管部１４の各パイプ部１４ａ，１４ｂに連通する一対の連通孔を有し、各腕部１５ｂには、パイプ本体１３の各側壁部１３ｃに設けた各係合凸部１３ｄに係合および離脱する係合溝部１５ｃが形成されている。連結手段１５の各腕部１５ｂは可撓性を有するもので、両腕部１５ｂ間は弾撥的に拡開可能で、かつ、弾撥的に復帰可能である。
【００４７】
このため、パイプ本体１３と連結管部１４を連結する場合には、連結手段１５の基板部１５ａにパッキンを介した状態で、連結管部１４をパイプ本体１３の先端部に相対的に押込めば、両腕部１５ｂは拡開した状態で各係合凸部１３ｄ上を乗って移動して、各係合溝部１５ｃを各係合凸部１３ｄに係合させる。これにより、パイプ本体１３と連結管部１４は、互いに確実に連結されて、散水手段１０ｂを構成する。当該散水手段１０ｂは、各製氷板１０ａの上方に図２に示す状態で設置されていて、連結管部１４の各パイプ部１４ａ，１４ｂを連結ホース１６ａ，１７ａを介して各水給ヘッド１６ｂｃ，１７ｂに連結される。この状態では、給水ポンプ１６ｄの駆動により、貯留タンク１８に収容されている製氷用水が第１散水パイプ１３ａに循環供給される。また、給水ポンプ１７ｄを駆動すれば、貯留タンク１８に収容されている製氷用水が除氷用水として、第２散水パイプ１３ｂに循環供給される。
【００４８】
当該散水手段１０ｂを定期的に洗浄すべく配設部位から取外すには、先ず、パイプ本体１３と連結管部１４の連結状態を解除して、パイプ本体１３と連結管部１４を互いに取外し、かつ、連結管部１４を連結ホース１６ａ，１７ａから取外す。パイプ本体１３と連結管部１４の連結解除は、連結手段１５の両腕部１５ｂを互いに拡開して各係合凸部１３ｄと係合溝部１５ｃの係合を解除し、パイプ本体１３と連結管部１４を相対的にわずかに引抜き操作すればよい。これにより、パイプ本体１３を、周囲に配置されている各種の部品や部材による干渉を受けることなく、連結管部１４から容易に取外すことができ、かつ、連結管部１４を周囲に配置されている部品や部材等による干渉を受けることなく、連結ホース１６ａ，１７ａから容易に取外すことができる。取外された連結部材１４の連結ホース１６ａ，１７ａへ取付け（連結）は容易であり、特に、取外されたパイプ本体１３と連結部材１４の取付け（連結）はワンタッチ操作で容易に行える。
【００４９】
図５（ａ）および図５（ｂ）には、パイプ本体１３と連結管部１４の連結構造が図４に示す連結構造とは異なる、第１変形例と第２変形例を示している。図５（ａ）に示す第１変形例に係るパイプ本体１３と連結管部１４の連結構造では、連結手段１５Ａを採用している。連結手段１５Ａは、連結管部１４の下流側端部に一体的に形成されている基板部１５ｄと、パイプ本体１３の各側壁部１３ｃに設けた一対の掛止具１５ｅにて構成されている。掛止具１５ｅは、針金製の平行四辺形の枠体を中央部でわずかに屈折して形成されていて、パイプ本体１３の各側壁部１３ｃに回動可能に支持されている。当該連結構造では、パイプ本体１３と連結パイプ部１４の先端部を互いに突合わせた状態で、掛止具１５ｅを基板部１５ｄの各側縁部に弾撥的に掛止して、パイプ本体１３と連結パイプ部１４とを互いに連結している。従って、当該連結構造では、各掛止具１５ｅを基板部１５ｄの各側縁部から容易に取外すことができ、これにより、パイプ本体１３と連結パイプ部１４との連結状態を容易に解除して、パイプ本体１３と連結パイプ部１４とを互いに取外すことができる。
【００５０】
図５（ｂ）に示す第２変形例に係る連結構造では、連結手段１５Ｂを採用している。連結手段１５Ｂは、連結管部１４の下流側端部に一体的に形成されている基板部１５ｆと、基板部１５ｆの各側縁部に支持した針金製の平行四辺形の枠体である一対の第１掛止具１５ｇと、パイプ本体１３の各側壁部１３ｃに設けた一対の第２掛止具１５ｈにて構成されている。第１掛止具１５ｇは、針金製の平行四辺形の枠体からなる掛止具であって、基板部１５ｆの側縁部に回動可能に支持されている。また、第２掛止具１５ｈは、小片状のもので、その基端部にてパイプ本体１３の各側壁部１３ｃに回動可能に支持されている。
【００５１】
当該連結手段１５Ｂにおいては、各第２掛止具１５ｈは、その回動端部をパイプ本体１３の各側壁部１３ｃに対して進退する回動動作（換言すれば開閉動作）を行うもので、開放時には、各第１掛止具１５ｇを受入れることができる。各第２掛止具１５ｈが各第１掛止具１５ｇを受入れた状態で、第２掛止具１５ｈを閉鎖すれば、図示の通り、両掛止具１５ｇ，１５ｈは互いに掛止され、パイプ本体１３と連結パイプ部１４が互いに連結される。従って、当該連結構造では、第２掛止具１５ｈを開放すれば、両掛止具１５ｇ，１５ｈの掛止状態が解除され、これにより、パイプ本体１３と連結パイプ部１４との連結状態を容易に解除することができる。
【図面の簡単な説明】
【００５２】
【図１】本発明の一実施形態に係る製氷機を製氷板の正面側からみた概略構成図である。
【図２】同製氷機を製氷板の側面側からみた一部を示す概略構成図である。
【図３】同製氷機が備える散水手段を正面側からみた概略構成図である。
【図４】同散水手段で採用しているパイプ本体と連結管部の連結構造を示す斜視図である。
【図５】同連結構造の第１変形例を示す斜視図（ａ）および第２変形例を示す斜視図である。
【図６】同製氷機の製氷運転を制御する制御プログラムを実行するためのフローチャートである。
【符号の説明】
【００５３】
１０…製氷部、１０ａ…製氷板、１０ｂ…散水手段、１１ａ…冷媒管路の上流側端部、１１ｂ…冷媒管路の下流側端部、１２…製氷面、１３…パイプ本体、１３ａ，１３ｂ…散水パイプ、１３ｃ…側壁部、１３ｄ…係合凸部、１４…連結管部、１４ａ，１４ｂ…パイプ部、１５，１５Ａ，１５Ｂ…連結手段、１５ａ…基板部、１５ｂ…腕部、１５ｃ…係合溝部、１５ｄ…基板部、１５ｅ…掛止具、１５ｆ…基板部、１５ｇ…第１掛止具、１５ｈ…第２掛止具、１６ａ，１７ａ…連結ホース、１６ｂ，１７ｂ…給水ヘッド、１６ｃ，１７ｃ…給水管路、１６ｄ、１７ｄ…給水ポンプ、１８…貯留タンク、１８ａ…還流管路、２０…冷凍機構部、２０ａ…冷凍回路、２１…圧縮機、２２…凝縮器、２３…レシーバタンク、２４…ドライヤ、２５…膨張弁、３０…制御装置。３１…水量センサ、３２…製氷面温度センサ、３３…水温センサ。
【図１】
2005221099.tif 000003
【図２】
2005221099.tif 000004
【図３】
2005221099.tif 000005
【図４】
2005221099.tif 000006
【図５】
2005221099.tif 000007
【図６】
2005221099.tif 000008